(57)【要約】【課題】ロックまたはロック解除の実行時における認証情報の入力画面を簡単に切り替えることができるようにする。【解決手段】本発明の情報処理装置においては、状態判定部６３は、磁気センサ２０a乃至２０dから出力された検知信号に基づいて、カメラ付ディジタル携帯電話機の現在の状態を判定し、状態判定結果を示す状態判定指示信号を生成する。切り替え制御部６４は、ロックまたはロック解除時におけるロックナンバーやロックリズムパターンを入力する入力画面の切り替えを制御する切り替え制御信号を生成し、生成された切り替え制御信号をＬＣＤ制御部３６に供給する。【選択図】  図７
2007323580.tif 000002
【特許請求の範囲】
【請求項１】
複数の認証情報を記憶する記憶手段と、前記記憶手段により記憶されている複数の前記認証情報のいずれかを用いて認証する認証手段と、ロックまたはロック解除の実行を制御する制御手段とを備える情報処理装置において、
前記情報処理装置の状態を判定する状態判定手段と、
前記状態判定手段により判定された状態判定結果に応じて、前記認証情報を入力する認証情報入力画面の切り替えを制御する切り替え制御手段とを備えることを特徴とする情報処理装置。
【請求項２】
前記切り替え制御手段は、前記制御手段によりロックまたはロックの解除の実行が制御されるときに、前記状態判定手段により判定された状態判定結果に応じて、前記認証情報入力画面の切り替えを制御することを特徴とする請求項１に記載の情報処理装置。
【請求項３】
前記状態判定手段により前記情報処理装置の状態が、前記認証情報入力画面が外部に露出され、かつ、複数のキーのうち一部のキーが覆われた状態になったと判定された場合、前記切り替え制御手段は、前記認証情報入力画面を、第１の認証情報を入力する第１の認証情報入力画面に切り替えるように制御することを特徴とする請求項１に記載の情報処理装置。
【請求項４】
複数の認証情報を記憶する記憶手段と、前記記憶手段により記憶されている複数の前記認証情報のいずれかを用いて認証する認証手段と、ロックまたはロック解除の実行を制御する制御手段とを備える情報処理装置において、
前記情報処理装置に設けられた所定のキーが押されたか否かを判定するキー判定手段と、
前記キー判定手段により前記情報処理装置に設けられた所定のキーが押されたと判定された場合、前記認証情報を入力する認証情報入力画面の切り替えを制御する切り替え制御手段とを備えることを特徴とする情報処理装置。
【請求項５】
前記キー判定手段は、前記情報処理装置に設けられた第１のキーが押されたか否かを判定する第１のキー判定手段と、前記情報処理装置に設けられた第２のキーが押されたか否かを判定する第２のキー判定手段とをさらに備え、
前記第１のキー判定手段により前記情報処理装置に設けられた第１のキーが押されたと判定された場合、前記切り替え制御手段は、前記認証情報入力画面を、第１の認証情報を入力する第１の認証情報入力画面に切り替えるように制御し、
前記第２のキー判定手段により前記情報処理装置に設けられた第２のキーが押されたと判定された場合、前記切り替え制御手段は、前記認証情報入力画面を、第２の認証情報を入力する第２の認証情報入力画面に切り替えるように制御することを特徴とする請求項４に記載の情報処理装置。
【請求項６】
前記第１のキーは数字キーであり、前記第２のキーはサイドキーであることを特徴とする請求項５に記載の情報処理装置。
【請求項７】
複数の前記認証情報には、少なくとも第１の認証情報と第２の認証情報が含まれ、
前記第１の認証情報はロックナンバーに関する情報であり、前記第２の認証情報はロックリズムパターンに関する情報であることを特徴とする請求項１または４に記載の情報処理装置。
【発明の詳細な説明】
【技術分野】
【０００１】
本発明は情報処理装置に係り、特に、ロック機能が搭載された情報処理装置に関する。
【背景技術】
【０００２】
近年、情報処理装置としての携帯電話機には、単なる通話による通信機能だけでなく、アドレス帳機能、インターネットなどのネットワークを介したメール機能や、Ｗｅｂページなどを閲覧することが可能なブラウザ機能などの種々の機能が搭載されるようになってきている。
【０００３】
それに伴い、携帯電話機にはユーザに関する種々のデータが保存されるようになってきており、個人情報保護の観点から、これらのデータが知らないうちに他人に見られたり、盗用されたりしないように、携帯電話機に予めロック（セキュリティロックやオートロックなど）をかけることが可能なロック機能が搭載されるようになってきている。ロック機能によって携帯電話機にロックがかけられると、ロックを解除しない限り、携帯電話機のキー操作は無効となる。
【０００４】
ロック機能が搭載された携帯電話機として、例えばロックナンバー（いわゆる暗証番号やパスワード）やロックリズムパターンを用いて認証を行うロック機能が搭載された携帯電話機が提案されている。
【０００５】
また、ロック機能が搭載された携帯電話機として、ＣＣＤ（Charge Coupled Device）カメラなどの撮像部により撮像された画像を用いて正当なユーザであるか否かを認証を行うロック機能が搭載された携帯電話機も提案されている。
【０００６】
さらに、ロックナンバーとロックリズムパターンの両方を用いて認証を行うロック機能が搭載された携帯電話機も提案されている（例えば、特許文献１参照）。
【０００７】
特許文献１に提案されている携帯電話機によれば、キー入力されたロックナンバー（暗証番号）の一致・不一致を判断するとともに、入力されたロックナンバーにおけるユーザのキー入力のタイミングを監視するようにしたので、セキュリティの性能を向上させることができる。
【特許文献１】特開２０００−２５９５６８号公報
【発明の開示】
【発明が解決しようとする課題】
【０００８】
近年、携帯電話機のスタイルとして様々なスタイルが提案されてきており、例えばストレートスタイル、フリップスタイル、２つ折りスタイル、２軸回転スタイル、スライドスタイル、スライド回転スタイルなどが提案されている。
【０００９】
例えば２軸回転スタイルの携帯電話機の場合、通常の開いた状態だけでなく、携帯電話機を折りたたんだ状態でもメインとなる液晶ディスプレイの表示画面をユーザが視認することができるという利点がある。
【００１０】
ところが、２軸回転スタイルの携帯電話機のロックまたはロック解除をロックナンバーを用いて実行する場合、他のスタイルの携帯電話機と同様に、ロックまたはロック解除を実行するときに数字キーを用いてロックナンバーを入力する必要であるが、２軸回転スタイルの携帯電話機を折りたたんだ状態にすると、数字キーが携帯電話機の筐体によって隠れてしまい、そのままの状態では数字キーを操作することができなくなる。そのため、ユーザは、数字キーを操作することができるように、わざわざ、ロックナンバーの入力のために折りたたんだ状態から通常の開いた状態にしなければならず、このような操作はユーザにとって大変煩わしいという課題があった。
【００１１】
本発明は、このような状況に鑑みてなされたものであり、ロックまたはロック解除の実行時における認証情報の入力画面を簡単に切り替えることができる情報処理装置を提供することを目的としている。
【課題を解決するための手段】
【００１２】
本発明の情報処理装置は、上述した課題を解決するために、情報処理装置の状態を判定する状態判定手段と、状態判定手段により判定された状態判定結果に応じて、認証情報を入力する認証情報入力画面の切り替えを制御する切り替え制御手段とを備えることを特徴とする。
【００１３】
本発明の情報処理装置は、上述した課題を解決するために、情報処理装置に設けられた所定のキーが押されたか否かを判定するキー判定手段と、キー判定手段により情報処理装置に設けられた所定のキーが押されたと判定された場合、認証情報を入力する認証情報入力画面の切り替えを制御する切り替え制御手段とを備えることを特徴とする。
【００１４】
本発明の情報処理装置においては、情報処理装置の状態が判定され、判定された状態判定結果に応じて、認証情報を入力する認証情報入力画面の切り替えが制御される。
【００１５】
本発明の情報処理装置においては、情報処理装置に設けられた所定のキーが押されたか否かが判定され、情報処理装置に設けられた所定のキーが押されたと判定された場合、認証情報を入力する認証情報入力画面の切り替えが制御される。
【発明の効果】
【００１６】
本発明によれば、ロックまたはロック解除の実行時における認証情報の入力画面を簡単に切り替えることができる。
【発明を実施するための最良の形態】
【００１７】
以下、本発明の実施の形態について、図面を参照しながら説明する。
【００１８】
図１は、本発明に係る情報処理装置に適用可能なカメラ付ディジタル携帯電話機２の外観の構成を表している。なお、図１［Ａ］は、カメラ付ディジタル携帯電話機２を約１８０度に見開いたときの正面から見た外観の構成を表しており、図１［Ｂ］は、カメラ付ディジタル携帯電話機２を見開いたときの側面から見た外観の構成を表している。また、カメラ付ディジタル携帯電話機２を約１８０度に開いたときの状態（いわゆるオープンスタイル）を「第１の状態」という。
【００１９】
図１［Ａ］および［Ｂ］に示されるように、カメラ付ディジタル携帯電話機２は、中央のヒンジ部１１を境に第１の筐体１２と第２の筐体１３とで構成されており、ヒンジ部１１を介して矢印Ｘ方向に折り畳み可能に形成される。カメラ付ディジタル携帯電話機２の内部の所定の位置には、送受信用のアンテナ（後述する図６のアンテナ４４）が設けられており、内蔵されたアンテナを介して基地局（図示せず）との間で電波を送受信する。
【００２０】
第１の筐体１２には、見開いた状態で、その正面に液晶ディスプレイ１４（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図１のＣＣＤカメラ２１）で撮像した画像、外部のコンテンツサーバ（図示せず）より受信したコンテンツ、メモリカード（後述する図６のメモリカード４６）に記憶されているコンテンツを表示することができる。また、液晶ディスプレイ１４の上部の所定の位置にはスピーカ１５が設けられており、これにより、ユーザは音声通話することが可能である。
【００２１】
一方、第２の筐体１３には、その表面に「０」乃至「９」の数字キー、発呼キー、リダイヤルキー、終話・電源キー、クリアキー、および電子メールキーなどの操作キー１６が設けられており、操作キー１６を用いて各種指示を入力することができる。
【００２２】
第２の筐体１３には、操作キー１６として上部に十字キーと確定キーが設けられており、ユーザが十字キーを上下左右方向に操作することにより当てられたカーソルを上下左右方向に移動させることができる。具体的には、液晶ディスプレイ１４に表示されている電話帳リストや電子メールのスクロール動作、簡易ホームページのページ捲り動作および画像の送り動作などの種々の動作を実行する。
【００２３】
また、確定キーを押下することにより、種々の機能を確定することができる。例えば第２の筐体１３は、ユーザによる十字キーの操作に応じて液晶ディスプレイ１４に表示された電話帳リストの複数の電話番号の中から所望の電話番号が選択され、確定キーが第２の筐体１３の内部方向に押圧されると、選択された電話番号を確定して電話番号に対して発呼処理を行う。なお、第１の筐体１２の下部には、第２の筐体１３の十字キーと確定キーに対応する操作キー１７a乃至１７eが設けられる。
【００２４】
さらに、第２の筐体１３には、十字キーと確定キーの左隣に電子メールキーが設けられており、電子メールキーが第２の筐体１３の内部方向に押圧されると、メールの送受信機能を呼び出すことができる。十字キーと確定キーの右隣には、ブラウザキーが設けられており、ブラウザキーが第２の筐体１３の内部方向に押圧されると、Ｗｅｂページのデータを閲覧することが可能となる。なお、十字キーと確定キーの左右隣に設けられた電子メールキーおよびブラウザキーは、液晶ディスプレイ１４に表示される画面により例えば「Yes」や「No」などの種々の機能をもつことが可能であるため、それぞれ、soft１キーおよびsoft２キーと呼ばれる。
【００２５】
また、第２の筐体１３には、操作キー１６の下部にマイクロフォン１８が設けられており、マイクロフォン１８によって通話時のユーザの音声を集音する。また、第２の筐体１３には、カメラ付ディジタル携帯電話機２の操作を行うサイドキー１９が設けられている。
【００２６】
なお、第２の筐体１３は、背面側に図示しないバッテリパックが挿着されており、終話・電源キーがオン状態になると、バッテリパックから各回路部に対して電力が供給されて動作可能な状態に起動する。
【００２７】
ところで、第２の筐体１３には、第２の筐体１３の下部の所定の位置に抜差自在なメモリカード（後述する図６のメモリカード４６）を挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００２８】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリのフラッシュメモリ素子を格納したものであり、１０ピン端子を介して画像や音声、音楽等の各種データの書き込み及び読み出しが可能となっている。
【００２９】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００３０】
従って、カメラ付ディジタル携帯電話機２は、このようなメモリカードを挿着可能に構成されているために、メモリカードを介して他の電子機器との間でデータの共有化を図ることができる。
【００３１】
また、第１の筐体１２と第２の筐体１３の内部の所定の位置には、カメラ付ディジタル携帯電話機２の状態を検知するための磁気センサ２０a、２０b、２０c、および２０dが設けられる。
【００３２】
図２は、本発明に係る情報処理装置として適用可能なカメラ付ディジタル携帯電話機２の他の外観の構成を表している。図２のカメラ付ディジタル携帯電話機２の状態は、図１のカメラ付ディジタル携帯電話機２の状態から矢印Ｘ方向に回動させた状態である。なお、図２［Ａ］は、カメラ付ディジタル携帯電話機２を閉じたときの正面から見た外観の構成を表しており、図２［Ｂ］は、カメラ付ディジタル携帯電話機２を閉じたときの側面から見た外観の構成を表している。また、図２のカメラ付ディジタル携帯電話機２の状態を「第２の状態」という。
【００３３】
第１の筐体１２の上部には、ＣＣＤカメラ２１が設けられており、これにより、所望の撮影対象を撮像することができる。ＣＣＤカメラ２１の下部には、サブディスプレイ２２が設けられており、現在のアンテナの感度のレベルを示すアンテナピクト、カメラ付ディジタル携帯電話機２の現在の電池残量を示す電池ピクト、現在の時刻などが表示される。
【００３４】
サブディスプレイ２２の下部には、さらに、静電タッチパッド２３が設けられている。静電タッチパッド２３は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００３５】
図３は、本発明に係る情報処理装置として適用可能なカメラ付ディジタル携帯電話機２の他の外観の構成を表している。
【００３６】
図３のカメラ付ディジタル携帯電話機２の状態は、図１のカメラ付ディジタル携帯電話機２の状態から矢印Ｙ方向に９０度首振り回動させた状態である。図３のカメラ付ディジタル携帯電話機２の状態を「第３の状態」という。なお、図３［Ａ］は、カメラ付ディジタル携帯電話機２を第３の状態にしたときの正面から見た外観の構成を表しており、図３［Ｂ］は、カメラ付ディジタル携帯電話機２を第３の状態にしたときの側面から見た外観の構成を表している。
【００３７】
図４は、本発明に係る情報処理装置として適用可能なカメラ付ディジタル携帯電話機２の他の外観の構成を表している。
【００３８】
図４のカメラ付ディジタル携帯電話機２の状態は、図３のカメラ付ディジタル携帯電話機２の状態から矢印Ｘ方向に回動させて９０度に折曲させた状態である。図３のカメラ付ディジタル携帯電話機２の状態を「第４の状態」という。なお、図４［Ａ］は、カメラ付ディジタル携帯電話機２を第４の状態にしたときの正面から見た外観の構成を表しており、図４［Ｂ］は、カメラ付ディジタル携帯電話機２を第４の状態にしたときの側面から見た外観の構成を表している。
【００３９】
図５は、本発明に係る情報処理装置として適用可能なカメラ付ディジタル携帯電話機２の他の外観の構成を表している。
【００４０】
図５のカメラ付ディジタル携帯電話機２の状態は、図４のカメラ付ディジタル携帯電話機２の状態から矢印Ｙ方向に９０度首振り回動させたのち矢印Ｘ方向に回動させ、液晶ディスプレイ１４が外向きになる状態で筐体１２と筐体１３を重ね合わせた状態である。図３のカメラ付ディジタル携帯電話機２の状態（いわゆるターンオーバースタイル）を「第５の状態」という。なお、図５［Ａ］は、カメラ付ディジタル携帯電話機２を第５の状態にしたときの正面から見た外観の構成を表しており、図５［Ｂ］は、カメラ付ディジタル携帯電話機２を第５の状態にしたときの側面から見た外観の構成を表している。なお、図１乃至図５に示されるように、直交する２軸廻りに回転することが可能なカメラ付ディジタル携帯電話機２は、２軸回転スタイルのカメラ付ディジタル携帯電話機と呼ばれる。
【００４１】
ここで、カメラ付ディジタル携帯電話機２の所定の位置に配置された磁気センサ２０a乃至２０ｄを用いたカメラ付ディジタル携帯電話機２の状態判定方法について説明する。
【００４２】
カメラ付ディジタル携帯電話機２がとり得る状態は、図１乃至図５に示される第１の状態乃至第５の状態の５つの状態である。カメラ付ディジタル携帯電話機２の所定の位置に配置された磁気センサ２０a乃至２０ｄは、これらのセンサ同士が一定の距離内で接近すると、検知信号を生成し、主制御部（図６を参照して後述する主制御部３１）に出力する。
【００４３】
例えば、磁気センサ２０aと磁気センサ２０ｂとの対は、図２の第２の状態と図５の第５の状態であるか、それとも、それ以外の図１の第１の状態、図３の第３の状態、および図４の第４の状態であるか否かを判定するために用いられる。また、磁気センサ２０ｃと磁気センサ２０ｄとの対は、図２の第２の状態であるか、それとも、図５の第５の状態であるかを判定するために用いられる。これにより、カメラ付ディジタル携帯電話機２が現在のどのような状態であるかを検知することができる。
【００４４】
図６は、本発明に係る情報処理装置として適用可能なカメラ付ディジタル携帯電話機２の内部の構成を表している。
【００４５】
図６に示されるように、カメラ付ディジタル携帯電話機２は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、および記憶部４７がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００４６】
電源回路部３２は、ユーザの操作により終話・電源キーがオン状態にされると、バッテリパックから各部に対して電力を供給することによりカメラ付ディジタル携帯電話機２を動作可能な状態に起動する。
【００４７】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することによりカメラ付ディジタル携帯電話機２を統括的に制御する。ＲＡＭは、ＣＰＵが各種の処理を実行する上において必要なデータなどを適宜記憶する。
【００４８】
なお、主制御部３１には、現在の日付と時刻を正確に計測するタイマが内蔵されている。
【００４９】
ここで、ＣＰＵが実行する種々のアプリケーションプログラムは、ＲＯＭや記憶部４７に予めインストールしておくことができる。また、ＣＰＵが実行する種々のアプリケーションプログラムは、図示せぬ基地局を介して通信によってカメラ付ディジタル携帯電話機２にダウンロードすることにより、記憶部４７にインストールすることができる。さらに、ＣＰＵが実行する種々のアプリケーションプログラムは、メモリカード４６に記録しておき、記録再生部４５によって読み出して、記憶部４７にインストールすることも可能である。
【００５０】
カメラ付ディジタル携帯電話機２は、主制御部３１の制御に基づいて、音声通話モード時にマイクロフォン１８で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００５１】
また、カメラ付ディジタル携帯電話機２は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１５を介して出力する。
【００５２】
さらに、カメラ付ディジタル携帯電話機２は、データ通信モード時に電子メールを送信する場合、操作キー１６の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００５３】
これに対してカメラ付ディジタル携帯電話機２は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１４に電子メールとして表示する。
【００５４】
その後カメラ付ディジタル携帯電話機２は、ユーザの操作に応じて受信した電子メールを記録再生部４５を介してメモリカード４６に記録することも可能である。
【００５５】
カメラ付ディジタル携帯電話機２は、画像信号を送信しない場合には、ＣＣＤカメラ２１で撮像した画像信号をカメラインタフェース部３５及びＬＣＤ制御部３６を介して液晶ディスプレイ１４に直接表示する。
【００５６】
カメラ付ディジタル携帯電話機２は、データ通信モード時に画像信号を送信する場合、ＣＣＤカメラ２１で撮像された画像信号をカメラインタフェース部３５を介して画像エンコーダ３４に供給する。
【００５７】
画像エンコーダ３４は、ＣＣＤカメラ２１から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時にカメラ付ディジタル携帯電話機２は、ＣＣＤカメラ２１で撮像中にマイクロフォン１８で集音した音声を音声コーデック４０を介してディジタルの音声信号として多重分離部３９送出する。
【００５８】
多重分離部３９は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００５９】
これに対して、カメラ付ディジタル携帯電話機２では、データ通信モード時に、Ｗｅｂページのデータを受信することができる。
【００６０】
すなわち、カメラ付ディジタル携帯電話機２において、データ通信モードに、例えばＷｅｂページを要求するデータを送信すると、その要求に応じて、Ｗｅｂページのデータが基地局（図示せず）を介して送信される。このＷｅｂページのデータは、アンテナ４４を介して送受信回路部４３および変復調回路３９で受信される。送受信回路部４３および変復調回路３９は、受信したＷｅｂページのデータを主制御部３１に送出する。
【００６１】
主制御部３１は、Ｗｅｂページのデータを解釈し、その解釈に基づく画面（画像）を作成する。作成された画面は、主制御部３１からＬＣＤ制御部３６を介して液晶ディスプレイ１４に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００６２】
また、カメラ付ディジタル携帯電話機２は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００６３】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１４に供給し、これにより、例えば、Ｗｅｂページなどにリンクされた動画像ファイルに含まれる動画像データが表示される。
【００６４】
このとき同時に音声コーデック４０は、音声信号をアナログ音声信号に変換した後、これをスピーカ１５に供給し、これにより、例えば、Ｗｅｂページなどにリンクされた動画像ファイルに含まる音声信号が再生される。この場合も電子メールの場合と同様にカメラ付ディジタル携帯電話機２は、受信したＷｅｂページなどにリンクされたデータをユーザの操作により記録再生部４５を介してメモリカード４６に記録することが可能である。
【００６５】
記憶部４７は、例えば、電気的に書換えや消去が可能な不揮発性メモリであるＥＥＰＲＯＭの一種であるフラッシュメモリ素子などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００６６】
図７は、図６のカメラ付ディジタル携帯電話機２が実行することができる機能的な構成を表している。なお、図６の構成と対応するものについては同一の符号を付している。
【００６７】
操作入力制御部３３は、ユーザにより操作キー１６が操作されることにより入力された種々のデータを取得し、取得された種々のデータをカメラ付ディジタル携帯電話機２の各部に供給する。
【００６８】
ＬＣＤ制御部３６は、カメラ付ディジタル携帯電話機２の各部から種々のデータを取得し、取得された種々のデータに基づいて各種のメッセージダイアログやロック解除画面などを液晶ディスプレイ１４またはサブディスプレイ２２に表示させる。
【００６９】
登録候補ロックナンバーデータ取得部５１は、ユーザにより操作キー１６が操作されることにより入力された登録候補のロックナンバーデータ（登録候補ロックナンバーデータ）を操作入力制御部３３を介して取得し、取得された登録候補ロックナンバーデータをロックナンバー設定部５２に供給する。
【００７０】
ロックナンバー設定部５２は、登録候補ロックナンバーデータ取得部５１から供給された登録候補ロックナンバーデータを取得し、取得された登録候補ロックナンバーデータに基づいて、ロックまたはロック解除を実行する際のロックナンバーを設定するとともに、設定されたロックナンバーのデータであるロックナンバーデータを補助記憶部５３に供給する。
【００７１】
登録候補ロックリズムデータ取得部５３は、ユーザにより操作キー１６が操作されることにより入力された登録候補のロックリズムデータ（登録候補ロックリズムデータ）を操作入力制御部３３を介して取得し、取得された登録候補ロックリズムデータを登録候補ロックリズムパターンデータ生成部５４に供給する。
【００７２】
登録候補ロックリズムパターンデータ生成部５４は、登録候補ロックリズムデータ取得部５３から供給された登録候補ロックリズムデータを取得し、取得された登録候補ロックリズムデータに基づいて登録候補のロックリズムパターンデータ（登録候補ロックリズムパターンデータ）を生成し、生成された登録候補ロックリズムパターンデータをロックリズムパターン設定部５５に供給する。
【００７３】
ロックリズムパターン設定部５５は、登録候補ロックリズムパターンデータ生成部５４から供給された登録候補ロックリズムパターンデータを取得し、取得された登録候補ロックリズムパターンデータに基づいて、ロックまたはロック解除の実行をする際のロックリズムパターンを設定するとともに、設定されたロックリズムパターンのデータであるロックリズムパターンデータを補助記憶部５６に供給する。
【００７４】
補助記憶部５６は、図６の記憶部４７などからなり、ロックナンバー設定部５２から供給されたロックナンバーデータを取得し、取得されたロックナンバーデータを記憶する。また、ロックリズムパターンデータ設定部５５から供給されたロックリズムパターンを取得し、取得されたロックリズムパターンデータを記憶する。補助記憶部５６は、カメラ付ディジタル携帯電話機２の各部の駆動に必要な種々のデータを予め記憶している。
【００７５】
ロックナンバー入力データ取得部５７は、ユーザにより操作キー１６が操作されることにより入力されたロックを解除するためのロックナンバーの入力データ（ロックナンバー入力データ）を操作入力制御部３３を介して取得し、取得されたロックナンバー入力データをロックナンバー認証部５８に供給する。
【００７６】
ロックナンバー認証部５８は、ロックナンバー入力データ取得部５７から供給されたロックナンバー入力データを取得し、補助記憶部５６に記憶されているロックナンバーデータを読み出し、読み出されたロックナンバーデータに基づくロックナンバーを用いて、取得されたロックナンバー入力データに基づく入力されたロックナンバーを認証する。ロックナンバー認証部５８は、認証の結果、取得されたロックナンバー入力データに基づく入力されたロックナンバーが、補助記憶部５６に記憶されているロックナンバーデータに基づくロックナンバーと一致すると判定された場合、取得されたロックナンバー入力データに基づく入力されたロックナンバーが一致したことを示す認証一致指示信号を生成し、生成された認証一致指示信号をロック・ロック解除実行制御部６２に供給する。
【００７７】
一方、ロックナンバー認証部５８は、認証の結果、取得されたロックナンバー入力データに基づく入力されたロックナンバーが、補助記憶部５６に記憶されているロックナンバーデータに基づくロックナンバーと不一致であると判定された場合、取得されたロックナンバー入力データに基づく入力されたロックナンバーが不一致であることを示す認証不一致指示信号を生成し、生成された認証不一致指示信号をＬＣＤ制御部３６に供給する。
【００７８】
ロックリズム入力データ取得部５９は、ユーザにより操作キー１６が操作されることにより入力されたロックを解除するためのロックリズムの入力データ（ロックリズム入力データ）を操作入力制御部３３を介して取得し、取得されたロックリズム入力データをロックリズムパターン入力データ生成部６０に供給する。
【００７９】
ロックリズムパターン入力データ生成部６０は、ロックリズム入力データ取得部５９から供給されたロックリズム入力データを取得し、取得されたロックリズム入力データに基づいて、ロックを解除するためのロックリズムパターン入力データを生成し、生成されたロックリズムパターン入力データをロックリズムパターン認証部６１に供給する。
【００８０】
ロックリズムパターン認証部６１は、ロックリズムパターン入力データ生成部６０から供給されたロックリズムパターン入力データを取得し、補助記憶部５６に記憶されているロックリズムパターンデータを読み出し、読み出されたロックリズムパターンデータに基づくロックリズムパターンを用いて、取得されたロックリズムパターン入力データに基づく入力されたロックリズムパターンを認証する。ロックリズムパターン認証部６１は、認証の結果、取得されたロックリズムパターン入力データに基づく入力されたロックリズムパターンが、補助記憶部５６に記憶されているロックリズムパターンデータに基づくロックリズムパターンと一致すると判定された場合、取得されたロックリズムパターン入力データに基づく入力されたロックリズムパターンが一致したことを示す認証一致指示信号を生成し、生成された認証一致指示信号をロック・ロック解除実行制御部６２に供給する。
【００８１】
一方、ロックリズムパターン認証部６１は、認証の結果、取得されたロックリズムパターン入力データに基づく入力されたロックリズムパターンが、補助記憶部５６に記憶されているロックリズムパターンデータに基づくロックリズムパターンと不一致であると判定された場合、取得されたロックリズムパターン入力データに基づく入力されたロックリズムパターンが不一致であることを示す認証不一致指示信号を生成し、生成された認証不一致指示信号をＬＣＤ制御部３６に供給する。
【００８２】
ロック・ロック解除実行制御部６２は、ロックナンバー認証部５８から供給された認証一致指示信号に基づいて、取得されたロックナンバー入力データに基づく入力されたロックナンバーが一致したことを認識し、カメラ付ディジタル携帯電話機２のロックまたはロックの解除（ロックの一時解除を含む）の実行を制御する。
【００８３】
状態判定部６３は、磁気センサ２０a乃至２０dから出力された検知信号に基づいて、カメラ付ディジタル携帯電話機２の現在の状態を判定する。すなわち、状態判定部６３は、図１乃至図５に示された第１の状態乃至第５の状態（５つの状態）のいずれかの状態であるか否かを判定する。カメラ付ディジタル携帯電話機２の現在の状態が第５の状態であると判定された場合、カメラ付ディジタル携帯電話機２の状態判定結果を示す状態判定指示信号を生成し、生成された状態判定指示信号を切り替え制御部６４に供給する。
【００８４】
切り替え制御部６４は、状態判定部６３から供給された状態判定指示信号に基づいてカメラ付ディジタル携帯電話機２の現在の状態を認識し、ロックまたはロック解除時におけるロックナンバーやロックリズムパターンを入力する入力画面の切り替えを制御する切り替え制御信号を生成し、生成された切り替え制御信号をＬＣＤ制御部３６に供給する。また、切り替え制御部６４は、操作入力制御部３３の制御に従い、ユーザにより操作キー１６のうちの数字キーまたはサイドキー１９が押されたか否かを認識し、ロックまたはロック解除時におけるロックナンバーやロックリズムパターンを入力する入力画面の切り替えを制御する切り替え制御信号を生成し、生成された切り替え制御信号をＬＣＤ制御部３６に供給する。
【００８５】
図８のフローチャートを参照して、図７のカメラ付ディジタル携帯電話機２におけるロックナンバー・ロックリズムパターン記憶処理について説明する。
【００８６】
ステップＳ１において、操作入力制御部３３は、ユーザにより操作キー１６が操作されることによりロックナンバー記憶処理を開始するとの指示がなされたか否かを判定する。
【００８７】
ステップＳ１においてユーザにより操作キー１６が操作されることによりロックナンバー記憶処理を開始するとの指示がなされたと判定された場合、ＬＣＤ制御部３６はステップＳ２で、液晶ディスプレイ１４に登録候補ロックナンバー入力画面を表示させる。液晶ディスプレイ１４は、ＬＣＤ制御部３６の制御に従い、登録候補ロックナンバー入力画面を表示する。
【００８８】
図９は、図６の液晶ディスプレイ１４に表示される登録候補ロックナンバー入力画面６５の表示例を表している。
【００８９】
図９の登録候補ロックナンバー入力画面６５は、メッセージ表示欄６６、登録候補となるロックナンバーの入力を受け付ける入力受付欄６７、およびコマンドを表示するコマンド表示欄６８とコマンド表示欄６９を有する。
【００９０】
図９の例の場合、メッセージ表示欄６６は、メッセージとして「ロックＮＯ．は？」が表示される。これにより、ユーザは、登録候補となるロックナンバーを入力し、以降の処理により登録させることができることが分かる。
【００９１】
入力受付欄６７は、ユーザにより操作キー１６の例えば数字キーが操作されることにより、登録候補となるロックナンバーの入力を受け付ける欄である。図９の例の場合、登録候補ロックナンバーとして例えば「９１３８」の入力が受け付けられる。なお、入力した数字をそのまま表示することに限定されず、「＊」などの文字でロックナンバーを表示させないようにしてもよい。
【００９２】
コマンド表示欄６８とコマンド表示欄６９は、それぞれ、「ＯＫ」と「キャンセル」というコマンドのアイコンを有する。ユーザは、操作キー１６を操作することにより、コマンド表示欄６８の「ＯＫ」のコマンドアイコンを選択し、登録候補ロックナンバーの登録を指示することができる。また、ユーザは、操作キー１６を操作することにより、コマンド表示欄６９の「キャンセル」のコマンドアイコンを選択し、登録候補ロックナンバーの登録処理をキャンセルすることができる。
【００９３】
操作入力制御部３３は、図９の登録候補ロックナンバー入力画面に基づいて、ユーザが操作キー１６を操作してコマンド表示欄６８の「ＯＫ」のアイコンを選択することにより、登録候補ロックナンバーの登録が指示されたか否かを判定する。
【００９４】
ユーザが操作キー１６を操作することによりコマンド表示欄６８の「ＯＫ」のアイコンを選択した場合、操作入力制御部３３は、ユーザが操作キー１６を操作してコマンド表示欄６８の「ＯＫ」のアイコンを選択することにより登録候補ロックナンバーの登録が指示されたと判定する。
【００９５】
一方、ユーザが操作キー１６を操作することによりコマンド表示欄６９の「キャンセル」のアイコンを選択した場合、操作入力制御部３３は、ユーザが操作キー１６を操作してコマンド表示欄６９の「キャンセル」のアイコンを選択することにより登録候補ロックナンバーの登録がキャンセルされたと判定する。
【００９６】
ステップＳ３において、登録候補ロックナンバーデータ取得部５１は、ユーザにより操作キー１６が操作されることにより入力された登録候補ロックナンバーデータを操作入力制御部３３を介して取得し、取得された登録候補ロックナンバーデータをロックナンバー設定部５２に供給する。
【００９７】
図９の例の場合、入力受付欄６７には、登録候補ロックナンバーとして「９１３８」の入力が受け付けられており、登録候補ロックナンバーデータ取得部５１が取得する登録候補ロックナンバーデータには、入力が受け付けられた登録候補ロックナンバー「９１３８」に関するデータが含まれる。
【００９８】
ステップＳ４において、ロックナンバー設定部５２は、登録候補ロックナンバーデータ取得部５１から供給された登録候補ロックナンバーデータを取得し、取得された登録候補ロックナンバーデータに基づいて、ロック・ロック解除を実行する際のロックナンバーを設定するとともに、設定されたロックナンバーのデータであるロックナンバーデータを補助記憶部５３に供給する。
【００９９】
図９の例の場合、ロックまたはロック解除を実行する際のロックナンバーが例えば「９１３８」に設定される。これにより、ユーザは、ロックまたはロック解除時に、ロックナンバーとして「９１３８」を入力することによりロックまたはロック解除を実行させることができる。
【０１００】
ステップＳ５において、補助記憶部５６は、ロックナンバー設定部５２から供給されたロックナンバーデータを取得し、取得されたロックナンバーデータを記憶する。これにより、ロックまたはロック解除を実行する際のロックナンバーを記憶することができる。
【０１０１】
その後、ロックナンバー・ロックリズムパターン記憶処理は終了する。
【０１０２】
一方、ステップＳ１においてユーザにより操作キー１６が操作されることによりロックナンバー記憶処理を開始するとの指示がなされたと判定された場合、操作入力部３３はステップＳ６で、ロックリズムパターン記憶処理を開始するとの指示がなされたか否かを判定する。
【０１０３】
ステップＳ６においてロックリズムパターン記憶処理を開始するとの指示がなされていないと判定された場合、処理はステップＳ１に戻り、ステップＳ１以降の処理が繰り返される。
【０１０４】
ステップＳ６においてロックリズムパターン記憶処理を開始するとの指示がなされたと判定された場合、ＬＣＤ制御部３６はステップＳ７で、液晶ディスプレイ１４に登録候補ロックリズムパターン入力画面を表示させる。液晶ディスプレイ１４は、ＬＣＤ制御部３６の制御に従い、登録候補ロックリズムパターン入力画面を表示する。
【０１０５】
図１０は、図６の液晶ディスプレイ１４に表示される登録候補ロックリズムパターン入力画面７０の表示例を表している。
【０１０６】
図１０の登録候補ロックリズムパターン入力画面７０は、メッセージ表示欄７１、タイムバー表示欄７２、登録候補となるロックリズムパターンの入力を受け付ける入力受付欄７３、およびコマンドを表示するコマンド表示欄７４とコマンド表示欄７５を有する。
【０１０７】
図１０の例の場合、メッセージ表示欄７１は、メッセージとして「ロックリズムパターンは？」が表示される。これにより、ユーザは、登録候補となるロックリズムパターンを入力し、以降の処理により登録させることができることが分かる。
【０１０８】
タイムバー表示欄７２は、登録候補となるロックリズムの入力を受け付けるタイミングを示すタイムバーを表示する表示欄である。タイムバー表示欄７２において表示されるタイムバーは、時間が経過するとともに左から右に向けて遷移する。
【０１０９】
【数１】
2007323580.tif 000003
【０１１０】
コマンド表示欄７４とコマンド表示欄７５は、それぞれ、「ＯＫ」と「キャンセル」というコマンドのアイコンを有する。ユーザは、操作キー１６を操作することにより、コマンド表示欄７４の「ＯＫ」のコマンドアイコンを選択し、登録候補ロックリズムパターンの登録を指示することができる。また、ユーザは、操作キー１６を操作することにより、コマンド表示欄７５の「キャンセル」のコマンドアイコンを選択し、登録候補ロックリズムパターンの登録処理をキャンセルすることができる。
【０１１１】
操作入力制御部３３は、図１０の登録候補ロックリズムパターン入力画面に基づいて、ユーザが操作キー１６を操作してコマンド表示欄７４の「ＯＫ」のアイコンを選択することにより、登録候補ロックリズムパターンの登録が指示されたか否かを判定する。
【０１１２】
ユーザが操作キー１６を操作することによりコマンド表示欄７４の「ＯＫ」のアイコンを選択した場合、操作入力制御部３３は、ユーザが操作キー１６を操作してコマンド表示欄７４の「ＯＫ」のアイコンを選択することにより登録候補ロックリズムパターンの登録が指示されたと判定する。
【０１１３】
一方、ユーザが操作キー１６を操作することによりコマンド表示欄７５の「キャンセル」のアイコンを選択した場合、操作入力制御部３３は、ユーザが操作キー１６を操作してコマンド表示欄７５の「キャンセル」のアイコンを選択することにより登録候補ロックリズムパターンの登録がキャンセルされたと判定する。
【０１１４】
ステップＳ８において、登録候補ロックリズムデータ取得部５３は、ユーザにより操作キー１６が操作されることにより入力された登録候補ロックリズムデータを操作入力制御部３３を介して取得し、取得された登録候補ロックリズムデータを登録候補ロックリズムパターンデータ生成部５４に供給する。
【０１１５】
【数２】
2007323580.tif 000004
【０１１６】
ステップＳ９において、登録候補ロックリズムパターンデータ生成部５４は、登録候補ロックリズムデータ取得部５３から供給された登録候補ロックリズムデータを取得し、取得された登録候補ロックリズムデータに基づいて登録候補ロックリズムパターンデータを生成し、生成された登録候補ロックリズムパターンデータをロックリズムパターン設定部５５に供給する。
【０１１７】
【数３】
2007323580.tif 000005
【０１１８】
ステップＳ１０において、ロックリズムパターン設定部５５は、登録候補ロックリズムパターンデータ生成部５４から供給された登録候補ロックリズムパターンデータを取得し、取得された登録候補ロックリズムパターンデータに基づいて、ロックまたはロック解除の実行をする際のロックリズムパターンを設定するとともに、設定されたロックリズムパターンのデータであるロックリズムパターンデータを補助記憶部５６に供給する。
【０１１９】
ステップＳ１１において、補助記憶部５６は、ロックリズムパターン設定部５５から供給されたロックリズムパターンデータを取得し、取得されたロックリズムパターンデータを記憶する。これにより、ロックまたはロック解除を実行する際のロックリズムパターンを記憶することができる。その後、ロックナンバー・ロックリズムパターン記憶処理は終了する。
【０１２０】
本発明の実施形態においては、図８のフローチャートを参照して説明したロックナンバー・ロックリズムパターン記憶処理により、ロックまたはロック解除時に用いられるロックナンバーおよびロックリズムパターンの両方を予め記憶させておく。なお、図９、図１０の例において、新たにロックナンバー、ロックリズムパターンを記憶させる場合、それ以前に登録されているロックナンバー、ロックリズムパターンを入力し、一致した場合に新たなロックナンバー、ロックリズムパターンを記憶可能とするようにしてもよい。
【０１２１】
次に、ロックナンバーまたはロックリズムパターンを用いて設定するオートロック設定処理について説明する。なお、以下の説明ではオートロック「ＯＮ」、オートロック「ＯＦＦ」、オートロック「ＯＮ（再ロックあり）」の３つの機能があり、以下のように定義するものとするが、これは一例であり、他のロック設定、ロック解除にも適用可能である。
【０１２２】
オートロック「ＯＮ」とは、カメラ付ディジタル携帯電話機２の機能の操作が制限され、着信があった場合の応答・拒否、着信音量の調整、アラーム鳴動音の停止以外の動作の操作の制限を行うことを意味し、ロックナンバーの入力またはロックリズムパターンの入力によってオートロック状態の一時解除を行うことができる。そして、電源をＯＦＦにして、再度電源をＯＮにするたびに操作が制限される。
【０１２３】
また、オートロック「ＯＦＦ」とは、オートロック状態を完全に解除した状態を意味し。オートロック「ＯＮ（再ロックあり）」とは、カメラ付ディジタル携帯電話機２の機能の操作が制限される点では、オートロック「ＯＮ」と同様であるが、ロックナンバーの入力またはロックリズムパターンの入力によってオートロック状態の一時解除を行ったあと、待ち受け画面においてユーザによる操作がなされない状態が所定時間経過すると再度操作が制限されることを意味する。
【０１２４】
図１２のフローチャートを参照して、図７のカメラ付ディジタル携帯電話機２におけるオートロック設定処理について説明する。このオートロック設定処理が実行される前に、まず、液晶ディスプレイ１４に図１３のロックメニュ画面７１−aが表示され、ユーザが操作キー１６を操作されることでロックメニュ画面７１−a上の「オートロック」を選択することによりオートロック設定処理が開始される。なお、図１３は、オートロック設定処理において液晶ディスプレイ１４に表示される表示画面の遷移を表している。
【０１２５】
ステップＳ２１において、操作入力制御部３３は、オートロック設定処理を開始するとの指示がなされたか否かを判定し、オートロック設定処理が開始するとの指示がなされるまで待機する。
【０１２６】
ステップＳ２１において、オートロック設定処理を開始するとの指示がなされたと判定された場合、操作入力制御部３３は、ＬＣＤ制御部３６にオートロック設定処理を開始するとの指示がなされた旨の通知を行う。
【０１２７】
ステップＳ２２において、ＬＣＤ制御部３６は、操作入力制御部３３からの通知に従い、液晶ディスプレイ１４にロックナンバー入力画面を表示させる。液晶ディスプレイ１４は、ＬＣＤ制御部３６の制御に従い、図１３のロックナンバー入力画面７１−bを表示する。その後、ユーザにより操作キー１６のうちのクリアキーが操作されるか、あるいは、ユーザにより操作キー１６のうちのsoft１（電子メールキー）キーを操作することによりロックナンバー入力画面７１−b上の「戻る」が選択されると、オートロック設定処理がクリアされ、ロックメニュ画面７１−aに戻る。
【０１２８】
ステップＳ２３において、操作入力制御部３３は、ユーザにより操作キー１６のうちのsoft２キー（ブラウザキー）が操作されることにより図１３のロックナンバー入力画面７１−b上の「パターン」が選択され、ロックリズムパターンを入力するとの指示がなされたか否かを判定する。
【０１２９】
ステップＳ２３においてロックリズムパターンを入力するとの指示がなされていないと判定された場合、ロックナンバー入力データ取得部５７はステップＳ２４で、ユーザにより操作キー１６が操作されることにより入力されたロックを解除するためのロックナンバー入力データを操作入力制御部３３を介して取得し、取得されたロックナンバー入力データをロックナンバー認証部５８に供給する。
【０１３０】
図１３のロックナンバー入力画面７１−cに示されるように、ユーザにより操作キー１６のうちの例えば数字キーが操作されることにより、まず、ロックナンバーのうちの１桁が入力される。ユーザがこの１桁の入力のクリアを所望する場合、ユーザが操作キー１６のうちのクリアキーを操作することにより１桁の入力がクリアされ、図１３のロックナンバー入力画面７１−bに戻る。また、ユーザにより操作キー１６のうちのsoft１キーを操作することによりロックナンバー入力画面７１−c上の「戻る」が選択されると、オートロック設定処理がクリアされ、ロックメニュ画面７１−aに戻る。
【０１３１】
次に、図１３のロックナンバー入力画面７１−ｄに示されるように、ユーザにより操作キー１６のうちの例えば数字キーが操作されることにより、さらにロックナンバーのうちの３桁が入力される。ユーザがこの３桁の入力のクリアを所望する場合、ユーザが操作キー１６のうちのクリアキーを操作することにより３桁の入力がクリアされ、図１３のロックナンバー入力画面７１−cに戻る。また、ユーザにより操作キー１６のうちのsoft１キーを操作することによりロックナンバー入力画面７１−d上の「戻る」が選択されると、オートロック設定処理がクリアされ、ロックメニュ画面７１−aに戻る。
【０１３２】
図１３のロックナンバー入力画面７１−eに示されるように、ユーザにより操作キー１６のうちの例えば数字キーが操作されることにより、さらにロックナンバーのうちの４桁が入力される。ユーザがこの４桁の入力のクリアを所望する場合、ユーザが操作キー１６のうちのクリアキーを操作することにより４桁の入力がクリアされ、図１３のロックナンバー入力画面７１−dに戻る。また、ユーザにより操作キー１６のうちのsoft１キーを操作することによりロックナンバー入力画面７１−e上の「戻る」が選択されると、オートロック設定処理がクリアされ、ロックメニュ画面７１−aに戻る。
【０１３３】
ステップＳ２５において、ロックナンバー認証部５８は、ロックナンバー入力データ取得部５７から供給されたロックナンバー入力データを取得するとともに、補助記憶部５６に記憶されているロックナンバーデータを読み出し、読み出されたロックナンバーデータに基づくロックナンバーを用いて、取得されたロックナンバー入力データに基づく入力されたロックナンバーを認証する。
【０１３４】
ステップＳ２６において取得されたロックナンバー入力データに基づく入力されたロックナンバーが、補助記憶部５６に記憶されているロックナンバーデータに基づくロックナンバーと一致すると判定された場合、ロックナンバー認証部５８は、取得されたロックナンバー入力データに基づく入力されたロックナンバーが一致したことを示す認証一致指示信号を生成し、生成された認証一致指示信号をロック・ロック解除実行制御部６２に供給する。
【０１３５】
ステップＳ２７において、ロック・ロック解除実行制御部６２は、ロックナンバー認証部５８から供給された認証一致指示信号に基づいて、取得されたロックナンバー入力データに基づく入力されたロックナンバーが一致したことを認識し、カメラ付ディジタル携帯電話機２のロックまたはロック解除の実行を制御する。
【０１３６】
このとき、ＬＣＤ制御部３６は、液晶ディスプレイ１４に図１４のオートロック実行画面７１−fを表示させる。液晶ディスプレイ１４は、ＬＣＤ制御部３６の制御に従い、図１４のオートロック実行画面７１−fを表示する。次に、ユーザにより操作キー１６のうちの例えば確定キーが操作されると、液晶ディスプレイ１４に図１４のオートロック設定完了面７１−gが表示される。なお、ユーザにより操作キー１６のうちのクリアキーが操作されるか、あるいは、ユーザにより操作キー１６のうちのsoft１キーを操作することによりオートロック設定完了画面７１−f上の「戻る」が選択されると、オートロック設定処理がクリアされ、ロックメニュ画面７１−aに戻る。
【０１３７】
また、図１４のオートロック実行画面７１−f上において、ユーザにより操作キー１６のうちの例えば十字キーが操作されると、液晶ディスプレイ１４に図１４のオートロック実行画面７１−ｈが表示される。次に、ユーザにより操作キー１６のうちの例えば確定キーが操作されると、液晶ディスプレイ１４に図１４のオートロック（再ロックあり）設定完了面７１−iが表示される。なお、ユーザにより操作キー１６のうちのクリアキーが操作されるか、あるいは、ユーザにより操作キー１６のうちのsoft１キーを操作することによりオートロック設定完了画面７１−f上の「戻る」が選択されると、オートロック設定処理がクリアされ、ロックメニュ画面７１−aに戻る。
【０１３８】
そして、図１４のオートロック設定完了画面７１−gの表示後、ユーザにより操作キー１６のうちの例えば確定キーがさらに操作されると、所定の時間後（例えば２秒後）にオートロックＯＮ機能が実行され、液晶ディスプレイ１４に待ち受け画面が表示される。
【０１３９】
また、図１４のオートロックＯＮ（再ロックあり）設定完了画面７１−iが表示された後、ユーザにより操作キー１６のうちの例えば確定キーがさらに操作されると、所定の時間後（例えば２秒後）にオートロックＯＮ（再ロックあり）が実行され、液晶ディスプレイ１４に待ち受け画面が表示される。
【０１４０】
さらに、図１４のオートロック実行画面７１−h上において、ユーザにより操作キー１６のうちの例えば十字キーが操作されると、液晶ディスプレイ１４に図１４のオートロック実行画面７１−jが表示される。次に、ユーザにより操作キー１６のうちの例えば確定キーが操作されると、液晶ディスプレイ１４に図１４のオートロックOFF設定完了面７１−kが表示される。その後、ユーザにより操作キー１６のうちの例えば確定キーがさらに操作されると、所定の時間後（例えば、２秒後）にオートロックOFF設定処理が実行され、ロックメニュ画面７１−aに戻る。
【０１４１】
なお、ユーザにより操作キー１６のうちのクリアキーが操作されるか、あるいは、ユーザにより操作キー１６のうちのsoft１キーを操作することによりオートロック設定完了画面７１−j上の「戻る」が選択されると、オートロック設定処理がクリアされ、ロックメニュ画面７１−aに戻る。
【０１４２】
一方、ステップＳ２６において取得されたロックナンバー入力データに基づく入力されたロックナンバーが、補助記憶部５６に記憶されているロックナンバーデータに基づくロックナンバーと不一致であると判定された場合、ロックナンバー認証部５８は、取得されたロックナンバー入力データに基づく入力されたロックナンバーが不一致であることを示す認証不一致指示信号を生成し、生成された認証不一致指示信号をＬＣＤ制御部３６に供給する。
【０１４３】
ステップＳ２８において、ＬＣＤ制御部３６は、ロックナンバー認証部５８から供給された認証不一致指示信号に基づいて、図１３のロックナンバー不一致メッセージダイアログ７１−lを液晶ディスプレイ１４に表示させる。液晶ディスプレイ１４は、ＬＣＤ制御部３６の制御に従い、図１３のロックナンバー不一致メッセージダイアログ７１−lを表示する。
【０１４４】
図１３のロックナンバー不一致メッセージダイアログ７１−lの場合、メッセージとして「ロックＮＯ．が違います」が表示される。これにより、ユーザは、入力したロックナンバーが間違っていることを知ることができる。
【０１４５】
その後、ユーザにより操作キー１６のうちの例えば確定キーが操作されると、図１３のロックメニュ画面７１−aが表示され、オートロック設定処理は終了する。
【０１４６】
一方、ステップＳ２３においてロックリズムパターンを入力するとの指示がなされたと判定された場合、ＬＣＤ制御部３６はステップＳ２９で、操作入力制御部３３からの通知に従い、液晶ディスプレイ１４にロックリズムパターン入力画面を表示させる。液晶ディスプレイ１４は、ＬＣＤ制御部３６の制御に従い、図１３のロックリズムパターン入力画面７１−mを表示する。
【０１４７】
図１３のロックリズムパターン入力画面７１−mの場合、ロックリズムパターンを入力するための入力欄が表示される。図１３のロックナンバー入力画面７１−ｎおよび７１−oに示されるように、ユーザにより操作キー１６のうちの例えば確定キーが操作されることにより、ロックリズムパターンが入力される。
【０１４８】
なお、ユーザにより操作キー１６のうちのsoft２キー（ブラウザキー）が操作されることによりロックリズムパターン入力画面７１−m上の「No」が選択されると、ロックナンバー入力画面７１−bに戻る。一方、ユーザにより操作キー１６のうちのsoft１キー（電子メールキー）が操作されることによりロックリズムパターン入力画面７１−m上の「戻る」が選択されると、ロックメニュ画面７１−aに戻り、オートロック設定処理は終了する。
【０１４９】
ステップＳ３０において、ロックリズム入力データ取得部５９は、ユーザにより操作キー１６のうち確定キーが操作されることにより入力されたロックを解除するためのロックリズム入力データを操作入力制御部３３を介して取得し、取得されたロックリズム入力データをロックリズムパターン生成部６０に供給する。
【０１５０】
ステップＳ３１において、ロックリズムパターン入力データ生成部６０は、ロックリズム入力データ取得部５９から供給されたロックリズム入力データを取得し、取得されたロックリズム入力データに基づいてロックを解除するためのロックリズムパターン入力データを生成し、生成されたロックリズムパターン入力データをロックリズムパターン認証部６１に供給する。
【０１５１】
ステップＳ３２において、ロックリズムパターン認証部６１は、ロックリズムパターン入力データ生成部６０から供給されたロックリズムパターン入力データを取得するとともに、補助記憶部５６に記憶されているロックリズムパターンデータを読み出し、読み出されたロックリズムパターンデータに基づくロックリズムパターンを用いて、取得されたロックリズムパターン入力データに基づく入力されたロックリズムパターンを認証する。
【０１５２】
ステップＳ３３において取得されたロックリズムパターン入力データに基づく入力されたロックリズムパターンが、補助記憶部５６に記憶されているロックリズムパターンデータに基づくロックリズムパターンと一致すると判定された場合、ロックリズムパターン認証部６１は、取得されたロックリズムパターン入力データに基づく入力されたロックリズムパターンが一致したことを示す認証一致指示信号を生成し、生成された認証一致指示信号をロック・ロック解除実行制御部６２に供給する。
【０１５３】
その後、処理はステップＳ２７に進み、ステップＳ２７以降の処理が繰り返される。
【０１５４】
一方、ステップＳ３３において取得されたロックリズムパターン入力データに基づく入力されたロックリズムパターンが、補助記憶部５６に記憶されているロックリズムパターンデータに基づくロックリズムパターンと不一致であると判定された場合、取得されたロックリズムパターン入力データに基づく入力されたロックリズムパターンが不一致であることを示す認証不一致指示信号を生成し、生成された認証不一致指示信号をＬＣＤ制御部３６に供給する。
【０１５５】
ステップＳ３４において、ＬＣＤ制御部３６は、ロックリズムパターン認証部６１から供給された認証不一致指示信号に基づいて、図１３のロックリズムパターン不一致メッセージダイアログ７１−lを液晶ディスプレイ１４に表示させる。液晶ディスプレイ１４は、ＬＣＤ制御部３６の制御に従い、図１３のロックリズムパターン不一致メッセージダイアログ７１−lを表示する。
【０１５６】
図１３のロックリズムパターン不一致メッセージダイアログ７１−lの場合、メッセージとして「ロックリズムパターンが違います」が表示される。これにより、ユーザは、入力したロックリズムパターンが間違っていることを知ることができる。
【０１５７】
その後、ユーザにより操作キー１６のうちの例えば確定キーが操作されると、所定の時間後（例えば２秒後）に図１３のロックメニュ画面７１−aが表示され、オートロック設定処理は終了する。
【０１５８】
なお、本発明の実施形態に用いられるロックナンバーデータとロックリズムパターンデータなどを「認証情報」と定義し、それぞれ、「第１の認証情報」と「第２の認証情報」と定義する。また、これらの認証情報を入力する入力画面を「認証情報入力画面」と定義する。
【０１５９】
次に、図１５のフローチャートを参照して、オートロックの一時解除処理について説明する。なお、図１５のステップＳ４４乃至Ｓ５４の処理は、図１２のステップＳ２４乃至Ｓ３４の処理と基本的には同様であり、その説明は繰り返しになるので省略する。
【０１６０】
このオートロック一時解除処理が実行される前に、まず、液晶ディスプレイ１４に図１６の待ち受け画面８１−aが表示され、ユーザにより操作キー１６のうちのいずれかの数字キーを操作されることでオートロック一時解除処理が開始される。なお、図１６は、オートロック一時解除処理において液晶ディスプレイ１４に表示される表示画面の遷移を表している。また、図１６の表示画面８１−b乃至８１−e、および表示画面８１−h乃至８１−kは、図１３の表示画面７１−b乃至７１−e、および表示画面７１−l乃至７１−oと基本的には同様であり、その説明は繰り返しになるので適宜省略する。
【０１６１】
ステップＳ４１において、操作入力制御部３３は、ユーザにより操作キー１６が操作されることにより操作キー１６のうちのいずれかの数字キーが押されたか否かを判定し、操作キー１６のうちのいずれかの数字キーが押されたと判定するまで待機する。
【０１６２】
ステップＳ４１において操作キー１６のうちのいずれかの数字キーが押されたと判定された場合、操作入力制御部３３は、ＬＣＤ制御部３６に操作キー１６のうちのいずれかの数字キーが押された旨の通知を行う。
【０１６３】
ステップＳ４２において、ＬＣＤ制御部３６は、操作入力制御部３３からの通知に従い、液晶ディスプレイ１４にロックナンバー入力画面を表示させる。液晶ディスプレイ１４は、ＬＣＤ制御部３６の制御に従い、図１３のロックナンバー入力画面８１−bを表示する。その後、ユーザにより操作キー１６のうちのクリアキーが操作されるか、あるいは、ユーザにより操作キー１６のうちのsoft１（電子メールキー）キーを操作することによりロックナンバー入力画面８１−b上の「戻る」が選択されると、オートロック一時解除処理がクリアされ、待ち受け画面８１−aに戻る。
【０１６４】
ステップＳ４３において、操作入力制御部３３は、ユーザにより操作キー１６のうちのsoft２キー（ブラウザキー）が操作されることにより図１３のロックナンバー入力画面８１−b上の「パターン」が選択され、ロックリズムパターンを入力するとの指示がなされたか否かを判定する。
【０１６５】
ステップＳ４３においてロックリズムパターンを入力するとの指示がなされていないと判定された場合、ステップＳ４４に進み、ステップＳ４４以降の処理が実行される。すなわち、ロックナンバーを用いたオートロック一時解除処理が実行される。なお、ステップＳ４７においてオートロック一時解除が制御されると、図１６のロック一時解除完了画面
８１−fが表示され、その後、ユーザにより操作キー１６のうちの例えば確定キーがさらに操作されると、数秒後に、オートロックが一時解除されたときに表示される待ち受け画面８１−gに戻る。なお、待ち受け画面８１−gには、待ち受けが面８１−ａと異なり、ＬＯＣＫである旨のアイコンは表示されない。
【０１６６】
ステップＳ４３においてロックリズムパターンを入力するとの指示がなされたと判定された場合、ＬＣＤ制御部３６はステップＳ４９で、操作入力制御部３３からの通知に従い、液晶ディスプレイ１４にロックリズムパターン入力画面を表示させる。液晶ディスプレイ１４は、ＬＣＤ制御部３６の制御に従い、図１６のロックリズムパターン入力画面８１−iを表示する。その後、処理はステップＳ５０に進み、ステップＳ５０以降の処理が実行される。すなわち、ロックリズムパターンを用いたオートロック一時解除処理が実行される。
【０１６７】
ところで、図１２のオートロック設定処理または図１５のオートロック一時解除処理において、ユーザがロックまたはロックの解除を実行するときに操作キー１６の数字キーを用いてロックナンバーを入力する場合、２軸回転スタイルの携帯電話機を折りたたんだ第５の状態（図５に示された状態）にすると、数字キーなどの操作キー１６がカメラ付ディジタル携帯電話機２の第１の筐体１２によって隠れてしまい、折りたたんだ第５の状態のままでは数字キーを操作することができず、操作キー１６の数字キーを用いてロックナンバー入力画面にロックナンバーを入力することができない。
【０１６８】
そこで、ロックまたはロック解除時における認証情報（例えば、ロックナンバーやロックリズムパターンなど）を入力するための認証情報入力画面（例えば、ロックナンバーを入力するロックナンバー入力画面とロックリズムパターンを入力するロックリズムパターン入力画面）を、ユーザが押される操作キーの種類（例えば、操作キー１６のうちの数字キーあるいはサイドキー１９など）やカメラ付ディジタル携帯電話機２の状態などに応じて切り替えるようにする。以下、認証情報入力画面切り替え制御処理について説明する。
【０１６９】
図１７のフローチャートを参照して、図７のカメラ付ディジタル携帯電話機２における認証情報入力画面切り替え制御処理について説明する。なお、この認証情報入力画面切り替え制御処理は、図１２のオートロック設定処理のステップＳ２２、Ｓ２３およびステップＳ２９の処理において並行して実行される。具体的には、この認証情報入力画面切り替え制御処理は、図１３のロックメニュ画面７１−a、ロックナンバー入力画面７１−b、およびロックリズムパターン入力画面７１−mの間において実行される。
【０１７０】
また、この認証情報入力画面切り替え制御処理は、図１５のオートロック一時解除処理のステップＳ４１乃至Ｓ４３およびステップＳ４９の処理において並行して実行される。具体的には、この認証情報入力画面切り替え制御処理は、図１６の待ち受け画面８１−a、ロックナンバー入力画面８１−b、およびロックリズムパターン入力画面８１−iの間において実行される。
【０１７１】
なお、図１２のオートロック設定処理と図１５のオートロック一時解除処理は、カメラ付ディジタル携帯電話機２が例えば第１の状態（図１の状態）と第５の状態（図５の状態）であるときに開始される。そこで、まず、認証情報入力画面切り替え制御処理の開始時にカメラ付ディジタル携帯電話機２が第１の状態（図１の状態）であるときについて説明する。
【０１７２】
ステップＳ６１において、操作入力制御部３３は、ユーザにより操作キー１６が操作されることにより操作キー１６のうちのいずれかの数字キーが押されたか否かを判定する。
【０１７３】
ステップＳ６１において操作キー１６のうちのいずれかの数字キーが押されたと判定された場合、操作入力制御部３３は、ユーザにより操作キー１６が操作されることにより操作キー１６のうちのいずれかの数字キーが押された旨の通知を切り替え制御部６４に供給する。
【０１７４】
ステップＳ６２において、切り替え制御部６４は、操作入力制御部３３からの通知により、ユーザにより操作キー１６が操作されることにより数字キーが押されたことを認識し、ロックまたはロック解除時における認証情報を入力するための認証情報入力画面を、ロックナンバーを入力するロックナンバー入力画面に切り替えるロックナンバー入力画面切り替え制御信号を生成し、生成されたロックナンバー入力画面切り替え制御信号をＬＣＤ制御部３６に供給する。
【０１７５】
ステップＳ６３において、ＬＣＤ制御部３６は、切り替え制御部６４から供給されたロックナンバー入力画面切り替え制御信号に基づいて、液晶ディスプレイ１４にロックナンバーを入力するロックナンバー入力画面を表示させる。液晶ディスプレイ１４は、ＬＣＤ制御部３６の制御に従い、ロックナンバーを入力するロックナンバー入力画面を表示する。
【０１７６】
これにより、ユーザが操作キー１６のうちロックナンバーを入力する際に用いる数字キーを操作したとき、ロックナンバーを入力するロックナンバー入力画面を表示することができる。従って、ロックまたはロック解除の実行時における認証情報の入力画面を簡単に切り替えることができ、様々なスタイルのカメラ付ディジタル携帯電話機２のロックまたはロック解除の実行時における操作性を向上させることができる。
【０１７７】
ステップＳ６４において、状態判定部６３は、磁気センサ２０a乃至２０dから出力された検知信号に基づいて、カメラ付ディジタル携帯電話機２の状態が第５の状態以外の状態（すなわち、第１の状態乃至第４の状態のいずれかの状態）から第５の状態になったか否かを判定し、図５図５カメラ付ディジタル携帯電話機２の状態が第５の状態以外の状態から第５の状態になったと判定するまで待機する。すなわち、カメラ付ディジタル携帯電話機２の状態が第１の状態であり、かつ、ロックナンバー入力画面が表示されている場合に、ユーザによりカメラ付ディジタル携帯電話機２の状態が第５の状態に変えられたとき、カメラ付ディジタル携帯電話機２の状態が第５の状態以外の状態から第５の状態になったと判定される。
【０１７８】
ステップＳ６４においてカメラ付ディジタル携帯電話機２の現在の状態が第５の状態以外の状態から第５の状態になったと判定された場合、状態判定部６３はステップＳ６５で、カメラ付ディジタル携帯電話機２の状態判定結果を示す状態判定指示信号（カメラ付ディジタル携帯電話機２の現在の状態が第５の状態以外の状態から第５の状態になったことを示す状態指示信号）を生成し、生成された状態判定指示信号を切り替え制御部６４に供給する。
【０１７９】
ステップＳ６６において、切り替え制御部６４は、状態判定部６３から供給された状態判定信号に基づいてカメラ付ディジタル携帯電話機２の状態が第５の状態以外の状態から第５の状態になったと認識し、ロックまたはロック解除時における認証情報を入力するための認証情報入力画面を、ロックリズムパターンを入力するロックリズムパターン入力画面に切り替えるロックリズムパターン入力画面切り替え制御信号を生成し、生成されたロックリズムパターン入力画面切り替え制御信号をＬＣＤ制御部３６に供給する。
【０１８０】
ステップＳ６７において、ＬＣＤ制御部３６は、切り替え制御部６４から供給されたロックリズムパターン入力画面切り替え制御信号に基づいて、液晶ディスプレイ１４にロックリズムパターンを入力するロックリズムパターン入力画面を表示させる。液晶ディスプレイ１４は、ＬＣＤ制御部３６の制御に従い、ロックリズムパターンを入力するロックリズムパターン入力画面を表示する。
【０１８１】
これにより、カメラ付ディジタル携帯電話機２の状態が操作キー１６の数字キーを用いてロックナンバー入力画面にロックナンバーを入力することができない状態、すなわち、第５の状態となったときに、認証情報入力画面をロックリズムパターンを入力するロックリズムパターン入力画面に切り替えて、ロックリズムパターン入力画面を表示することができる。従って、カメラ付ディジタル携帯電話機２の状態の変化に応じて、好適な認証情報入力画面に切り替えることができるとともに、ロックまたはロック解除の実行時における認証情報の入力画面を簡単に切り替えることができる。その結果、様々なスタイルのカメラ付ディジタル携帯電話機２のロックまたはロック解除の実行時における操作性を向上させることができる。
【０１８２】
ステップＳ６８において、状態判定部６３は、磁気センサ２０a乃至２０dから出力された検知信号に基づいて、カメラ付ディジタル携帯電話機２の状態が第５の状態から他の状態（すなわち、第１の状態乃至第４の状態のいずれかの状態）になったか否かを判定し、カメラ付ディジタル携帯電話機２の状態が第５の状態から他の状態になったと判定するまで待機する。すなわち、カメラ付ディジタル携帯電話機２の状態が第５の状態であり、かつ、ロックリズムパターン入力画面が表示されている場合に、ユーザによりカメラ付ディジタル携帯電話機２の状態が第５の状態から例えば第１の状態に変えられたとき、カメラ付ディジタル携帯電話機２の状態が第５の状態から他の状態になったと判定される。
【０１８３】
ステップＳ６８においてカメラ付ディジタル携帯電話機２の現在の状態が第５の状態から他の状態になったと判定された場合、状態判定部６３はステップＳ６９で、カメラ付ディジタル携帯電話機２の状態判定結果を示す状態判定指示信号（カメラ付ディジタル携帯電話機２の現在の状態が第５の状態から他の状態になったことを示す状態指示信号）を生成し、生成された状態判定指示信号を切り替え制御部６４に供給する。
【０１８４】
ステップＳ７０において、切り替え制御部６４は、状態判定部６３から供給された状態判定信号に基づいてカメラ付ディジタル携帯電話機２の状態が第５の状態から他の状態になったと認識し、ロックまたはロック解除時における認証情報を入力するための認証情報入力画面を、ロックナンバーを入力するロックナンバー入力画面に切り替えるロックリズムナンバー入力画面切り替え制御信号を生成し、生成されたロックナンバー入力画面切り替え制御信号をＬＣＤ制御部３６に供給する。
【０１８５】
ステップＳ７１において、ＬＣＤ制御部３６は、切り替え制御部６４から供給されたロックナンバー入力画面切り替え制御信号に基づいて、液晶ディスプレイ１４にロックナンバーを入力するロックナンバー入力画面を表示させる。液晶ディスプレイ１４は、ＬＣＤ制御部３６の制御に従い、ロックナンバーを入力するロックナンバー入力画面を表示する。
【０１８６】
これにより、カメラ付ディジタル携帯電話機２の状態が操作キー１６の数字キーを用いてロックナンバー入力画面にロックナンバーを入力することができる状態、すなわち、第５の状態以外の状態（第１の状態乃至第４の状態のいずれかの状態）となったときに、認証情報入力画面をロックナンバーを入力するロックナンバー入力画面に切り替えて、ロックナンバー入力画面を表示することができる。従って、カメラ付ディジタル携帯電話機２の状態の変化に応じて、好適な認証情報入力画面に切り替えることができるとともに、ロックまたはロック解除の実行時における認証情報の入力画面を簡単に切り替えることができる。その結果、様々なスタイルのカメラ付ディジタル携帯電話機２のロックまたはロック解除の実行時における操作性を向上させることができる。
【０１８７】
その後、処理はステップＳ６４に進み、ステップＳ６４以降の処理が繰り返される。
【０１８８】
一方、ステップＳ６１において操作キー１６のうちのいずれかの数字キーが押されていないと判定された場合、操作入力制御部３３はステップＳ７２で、ユーザによりサイドキー１９が押されたか否かを判定する。
【０１８９】
ステップＳ７２においてユーザによりサイドキー１９が押されていないと判定された場合、処理はステップＳ６１に戻り、ステップＳ６１以降の処理が繰り返される。
【０１９０】
ステップＳ７２においてユーザによりサイドキー１９が押されたと判定された場合、操作入力制御部３３は、ユーザによりサイドキー１９が押された旨の通知を切り替え制御部６４に供給する。
【０１９１】
ステップＳ７３において、切り替え制御部６４は、操作入力制御部３３からの通知により、ユーザによりサイドキー１９が押されたことを認識し、ロックまたはロック解除時における認証情報を入力するための認証情報入力画面を、ロックリズムパターンを入力するロックリズムパターン入力画面に切り替えるロックリズムパターン入力画面切り替え制御信号を生成し、生成されたロックリズムパターン入力画面切り替え制御信号をＬＣＤ制御部３６に供給する。
【０１９２】
ステップＳ７４において、ＬＣＤ制御部３６は、切り替え制御部６４から供給されたロックリズムパターン入力画面切り替え制御信号に基づいて、液晶ディスプレイ１４にロックリズムパターンを入力するロックリズムパターン入力画面を表示させる。液晶ディスプレイ１４は、ＬＣＤ制御部３６の制御に従い、ロックリズムパターンを入力するロックリズムパターン入力画面を表示する。
【０１９３】
これにより、カメラ付ディジタル携帯電話機２の状態が操作キー１６の数字キーを用いてロックナンバー入力画面にロックナンバーを入力することができる状態、すなわち、第５の状態以外の状態（第１の状態乃至第４の状態のいずれかの状態）であっても、ユーザがロックリズムパターンを入力する際に用いるサイドキー１９を操作したとき、ユーザの好みに合わせて、認証情報入力画面をロックリズムパターンを入力するロックリズムパターン入力画面に切り替えて、ロックリズムパターン入力画面を表示することができる。従って、ロックまたはロック解除の実行時における認証情報の入力画面を簡単に切り替えることができ、様々なスタイルのカメラ付ディジタル携帯電話機２のロックまたはロック解除の実行時における操作性を向上させることができる。
【０１９４】
ステップ７５において、状態判定部６３は、磁気センサ２０a乃至２０dから出力された検知信号に基づいて、カメラ付ディジタル携帯電話機２の状態が第５の状態であるか否かを判定する。すなわち、カメラ付ディジタル携帯電話機２が入力画面切り替え制御処理開始時に第１の状態（図１の状態）であるときには、カメラ付ディジタル携帯電話機２の状態が第５の状態ではないと判定される。
【０１９５】
ステップＳ７５においてカメラ付ディジタル携帯電話機２の状態が第５の状態ではないと判定された場合、処理はステップＳ６１に戻り、ステップＳ６１以降の処理が繰り返される。なお、その後、ユーザにより操作キー１６のうちの数字キーが押されると、ステップＳ６１において数字キーが押されたと判定され、ステップＳ６３においてロックナンバー入力画面が液晶ディスプレイ１４に表示される。
【０１９６】
次に、カメラ付ディジタル携帯電話機２が入力画面切り替え制御処理の開始時に第５の状態（図５の状態）であるときについて説明する。
【０１９７】
この場合、数字キーなどの操作キー１６がカメラ付ディジタル携帯電話機２の第１の筐体１２によって隠れてしまい、通常、ユーザは折りたたんだ第５の状態のままでは数字キーを操作することができず、操作キー１６の数字キーを用いてロックナンバー入力画面にロックナンバーを入力することができないことから、ステップＳ６１においてユーザにより操作キー１６が操作されることにより操作キー１６のうち数字キーが押されていないと判定される。なお、カメラ付ディジタル携帯電話機２が入力画面切り替え制御処理の開始時に第５の状態である場合に、操作性が悪いにもかかわらず、ユーザが操作キー１６のうちの数字キーをわざわざ押すことも考えられるが、そのときには、ステップＳ６２以降の処理が行われるようにしてもよい。
【０１９８】
そして、ステップＳ７２においてユーザによりサイドキー１９が押されたと判定されると、ステップＳ７４において、液晶ディスプレイ１４にロックリズムパターンを入力するためのロックリズムパターン入力画面が表示される。
【０１９９】
これにより、カメラ付ディジタル携帯電話機２の状態が操作キー１６の数字キーを用いてロックナンバー入力画面にロックナンバーを入力することができない状態、すなわち、第５の状態のときに、ユーザがロックリズムパターンを入力する際に用いるサイドキー１９を操作したとき、認証情報入力画面をロックリズムパターンを入力するロックリズムパターン入力画面に切り替えて、ロックリズムパターン入力画面を表示することができる。従って、ロックまたはロック解除の実行時における認証情報の入力画面を簡単に切り替えることができ、様々なスタイルのカメラ付ディジタル携帯電話機２のロックまたはロック解除の実行時における操作性を向上させることができる。
【０２００】
その後、カメラ付ディジタル携帯電話機２が認証情報入力画面切り替え制御処理の開始時に第５の状態（図５の状態）であることから、ステップＳ７５においてカメラ付ディジタル携帯電話機２の状態が第５の状態であると判定され、処理はステップＳ６８に進む。
【０２０１】
ステップＳ６８において状態判定部６３は、磁気センサ２０a乃至２０dから出力された検知信号に基づいて、カメラ付ディジタル携帯電話機２の状態が第５の状態から他の状態（すなわち、第１の状態乃至第４の状態のいずれかの状態）になったか否かを判定し、カメラ付ディジタル携帯電話機２の状態が第５の状態から他の状態になったと判定するまで待機する。
【０２０２】
ステップＳ６８においてカメラ付ディジタル携帯電話機２の現在の状態が第５の状態から他の状態になったと判定された場合、処理はステップＳ６９に進み、その後、ステップＳ６９以降の処理が繰り返される。
【０２０３】
これにより、カメラ付ディジタル携帯電話機２の状態が操作キー１６の数字キーを用いてロックナンバー入力画面にロックナンバーを入力することができる状態、すなわち、第５の状態以外の状態（第１の状態乃至第４の状態のいずれかの状態）となったときに、認証情報入力画面をロックナンバーを入力するロックナンバー入力画面に切り替えて、ロックナンバー入力画面を表示することができる。従って、カメラ付ディジタル携帯電話機２の状態の変化に応じて、好適な認証情報入力画面に切り替えることができるとともに、ロックまたはロック解除の実行時における認証情報の入力画面を簡単に切り替えることができる。その結果、様々なスタイルのカメラ付ディジタル携帯電話機２のロックまたはロック解除の実行時における操作性を向上させることができる。
【０２０４】
なお、カメラ付ディジタル携帯電話機２の状態が第５の状態である場合にロックリズムパターンを用いてロックまたはロックの解除を実行するとき、ユーザは、例えばサイドキー１９を用いてロックリズムパターンを入力してロックまたはロックの解除を実行させるが、勿論、サイドキー１９以外にも、操作キー１７a乃至１７eのいずれかのキーなどでもよく、カメラ付ディジタル携帯電話機２の状態が第５の状態である場合にユーザが操作することができる操作キーでありさえすればよい。
【０２０５】
なお、本発明の実施形態においては、２軸回転スタイルのカメラ付ディジタル携帯電話機２に適用するようにしたが、このような場合に限られず、スライドスタイルやスライド回転スタイルなどのように、カメラ付ディジタル携帯電話機２の状態が変化する様々なスタイルのカメラ付ディジタル携帯電話機２にも適用することができる。これにより、様々なスタイルのカメラ付ディジタル携帯電話機２のロックまたはロック解除の実行時における操作性を向上させることができる。
【０２０６】
また、本発明の実施形態においては、カメラ付ディジタル携帯電話機２の状態などに応じて、認証情報入力画面を切り替えて表示するようにしたが、予め複数の認証情報（例えば、ロックナンバーやロックリズムパターンなど）を記憶させておき、カメラ付ディジタル携帯電話機２の状態などに応じて、適宜、種々の方法を用いた認証入力画面に切り替えて表示するようにしてもよいし、ユーザの好みに応じてどの方法を用いるか否かを予め設定するようにしてもよい。
【０２０７】
なお、本発明は、携帯電話機以外にも、ＰＤＡ（Personal Digital Assistant）、パーソナルコンピュータ、その他の情報処理装置にも適用することができる。
【０２０８】
また、本発明の実施形態において説明した一連の処理は、ソフトウェアにより実行させることもできるが、ハードウェアにより実行させることもできる。
【０２０９】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０２１０】
【図１】本発明に係る情報処理装置として適用可能なカメラ付ディジタル携帯電話機を約１８０度に見開いたときの正面と側面から見た外観の構成を示す図。
【図２】本発明に係る情報処理装置として適用可能なカメラ付のディジタル携帯電話機を閉じたときの正面と側面から見た外観の構成を示す図。
【図３】本発明に係る情報処理装置として適用可能なカメラ付ディジタル携帯電話機の他の外観の構成を示す図。
【図４】本発明に係る情報処理装置として適用可能なカメラ付ディジタル携帯電話機の他の外観の構成を示す図。
【図５】本発明に係る情報処理装置として適用可能なカメラ付ディジタル携帯電話機の他の外観の構成を示す図。
【図６】図１のカメラ付ディジタル携帯電話機の内部の構成を示すブロック図。
【図７】図６のカメラ付ディジタル携帯電話機が実行することができる機能的な構成を示すブロック図。
【図８】図７のカメラ付ディジタル携帯電話機におけるロックナンバー・ロックリズムパターン記憶処理を説明するフローチャート。
【図９】図６の液晶ディスプレイに表示されるロックナンバー入力画面の表示例を示す図。
【図１０】図６の液晶ディスプレイに表示されるロックリズムパターン入力画面の表示例を示す図。
【図１１】入力された登録候補ロックリズムパターンから取得される登録候補ロックリズムのタイミングチャートを示す図。
【図１２】図７のカメラ付ディジタル携帯電話機におけるオートロック設定処理を説明するフローチャート。
【図１３】図６の液晶ディスプレイに表示される表示画面の遷移を示す図。
【図１４】図６の液晶ディスプレイに表示される表示画面の遷移を示す図。
【図１５】図７のカメラ付ディジタル携帯電話機におけるオートロック一時解除処理を説明するフローチャート。
【図１６】図６の液晶ディスプレイに表示される表示画面の遷移を示す図。
【図１７】図７のカメラ付ディジタル携帯電話機における認証情報入力画面切り替え制御処理を説明するフローチャート。
【符号の説明】
【０２１１】
２…カメラ付のディジタル携帯電話機、１１…ヒンジ部、１２…第１の筐体、１３…第２の筐体、１４…液晶ディスプレイ、１５…スピーカ、１６…操作キー、１７…操作キー、１８…マイクロフォン、１９…サイドキー、２０a乃至２０d…磁気センサ、２１…ＣＣＤカメラ、２２…サブディスプレイ、２３…静電タッチパッド、３１…主制御部、３２…電源回路、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、５１…登録候補ロックナンバーデータ取得部、５２…ロックナンバー設定部、５３…登録候補ロックリズムデータ取得部、５４…登録候補ロックリズムパターンデータ生成部、５５…ロックリズムパターン設定部、５６…補助記憶部、５７…ロックナンバー入力データ取得部、５８…ロックナンバー認証部、５９…ロックリズム入力データ取得部、６０…ロックリズムパターン入力データ生成部、６１…ロックリズムパターン認証部、６２…ロック・ロック解除実行制御部、６３…状態判定部、６４…切り替え制御部
【図１】
2007323580.tif 000006
【図２】
2007323580.tif 000007
【図３】
2007323580.tif 000008
【図４】
2007323580.tif 000009
【図５】
2007323580.tif 000010
【図６】
2007323580.tif 000011
【図７】
2007323580.tif 000012
【図８】
2007323580.tif 000013
【図９】
2007323580.tif 000014
【図１０】
2007323580.tif 000015
【図１１】
2007323580.tif 000016
【図１２】
2007323580.tif 000017
【図１３】
2007323580.tif 000018
【図１４】
2007323580.tif 000019
【図１５】
2007323580.tif 000020
【図１６】
2007323580.tif 000021
【図１７】
2007323580.tif 000022